(57)【特許請求の範囲】
【請求項１】
広帯域通信システムにおいて初期ネットワーク進入時に負荷均等（Ｌｏａｄ  Ｂａｌａｎｃｉｎｇ）を行うための基地局の運用方法であって、
ユーザ端末からレンジング要請メッセージを受信する段階と、
前記レンジング要請メッセージの受信時に、ネットワーク負荷によって前記ユーザ端末を収容するか否かを判断する段階と、
前記ユーザ端末を収容することができない場合、レンジング状態を「ａｂｏｒｔ」に設定する段階と、
前記「ａｂｏｒｔ」に設定されたレンジング状態、前記ユーザ端末がレンジングを再度行うチャネルのための少なくとも一つのＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを生成する段階と、
前記レンジング要請メッセージに応答して前記レンジング応答メッセージを前記ユーザ端末に送信する段階と、を有することを特徴とする広帯域通信システムにおける負荷均等のための方法。
【請求項２】
前記ＦＡは、前記ユーザ端末がレンジングを再度行うためのターゲット基地局のダウンリンクチャネルのＦＡを含むことを特徴とする請求項１に記載の広帯域通信システムにおける負荷均等のための方法。
【請求項３】
前記ターゲット基地局のプリアンブルインデックスがターゲット基地局のための２つ以上のプリアンブルインデックスを含む場合、該プリアンブルインデックスは、優先順に整列されることを特徴とする請求項１に記載の広帯域通信システムにおける負荷均等のための方法。
【請求項４】
前記ターゲット基地局のプリアンブルインデックスが前記ＦＡと共に用いられる場合、前記ユーザ端末がレンジングを再度行う際に、前記ターゲット基地局のプリアンブルインデックスによって識別されたダウンリンクチャネル上で行なわれることを特徴とする請求項１に記載の広帯域通信システムにおける負荷均等のための方法。
【請求項５】
前記広帯域通信システムは、ＯＦＤＭ又はＯＦＤＭＡシステムであることを特徴とする請求項１に記載の広帯域通信システムにおける負荷均等のための方法。
【請求項６】
前記レンジング応答メッセージは、前記ターゲット基地局の前記プリアンブルインデックスに関連するサービスレベル予測（Ｓｅｒｖｉｃｅ  Ｌｅｖｅｌ  Ｐｒｅｄｉｃｔｉｏｎ：ＳＬＰ）値を更に含むことを特徴とする請求項１に記載の広帯域通信システムにおける負荷均等のための方法。
【請求項７】
隣接基地局のチャネル状態を確認する段階と、
前記隣接基地局の中から前記チャネル状態が所定のしきい値を満足する少なくとも一つの最初の隣接基地局を確認する段階と、
前記少なくとも一つの最初の隣接基地局の中から負荷しきい値を満足する少なくとも一つの２番目の隣接基地局を識別する段階と、を更に含むことを特徴とする請求項１に記載の広帯域通信システムにおける負荷均等のための方法。
【請求項８】
広帯域通信システムにおいて初期ネットワーク進入時に負荷均等（Ｌｏａｄ  Ｂａｌａｎｃｉｎｇ）を行うための装置であって、
ユーザ端末からレンジング要請メッセージを受信するＯＦＤＭ受信部と、
前記レンジング要請メッセージの受信時に、ネットワーク負荷によって前記ユーザ端末を収容するか否かを判断する加入者制限部と、
前記ユーザ端末を収容することができない場合、レンジング状態を「ａｂｏｒｔ」に設定し、前記「ａｂｏｒｔ」に設定されたレンジング状態、前記ユーザ端末がレンジングを再度行うチャネルのための少なくとも一つのＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを生成する負荷均等制御部と、
前記レンジング要請メッセージに応答して前記レンジング応答メッセージを前記ユーザ端末に送信するＯＦＤＭ送信部と、を備えることを特徴とする広帯域通信システムにおける負荷均等のための装置。
【請求項９】
前記ＦＡは、前記ユーザ端末がレンジングを再度行うためのターゲット基地局のダウンリンクチャネルのＦＡを含むことを特徴とする請求項８に記載の広帯域通信システムにおける負荷均等のための装置。
【請求項１０】
前記ターゲット基地局のプリアンブルインデックスがターゲット基地局のための２つ以上のプリアンブルインデックスを含む場合、該プリアンブルインデックスは、優先順に整列されることを特徴とする請求項８に記載の広帯域通信システムにおける負荷均等のための装置。
【請求項１１】
前記ターゲット基地局のプリアンブルインデックスが前記ＦＡと共に用いられる場合、前記ユーザ端末がレンジングを再度行う際に、前記ターゲット基地局のプリアンブルインデックスによって識別されたダウンリンクチャネル上で行なわれることを特徴とする請求項８に記載の広帯域通信システムにおける負荷均等のための装置。
【請求項１２】
前記広帯域通信システムは、ＯＦＤＭ又はＯＦＤＭＡシステムであることを特徴とする請求項８に記載の広帯域通信システムにおける負荷均等のための装置。
【請求項１３】
前記レンジング応答メッセージは、前記ターゲット基地局の前記プリアンブルインデックスに関連するサービスレベル予測（Ｓｅｒｖｉｃｅ  Ｌｅｖｅｌ  Ｐｒｅｄｉｃｔｉｏｎ：ＳＬＰ）値を更に含むことを特徴とする請求項８に記載の広帯域通信システムにおける負荷均等のための装置。
【請求項１４】
隣接基地局のチャネル状態を確認し、前記隣接基地局の中から前記チャネル状態が所定のしきい値を満足する少なくとも一つの最初の隣接基地局を確認し、前記少なくとも一つの最初の隣接基地局の中から負荷しきい値を満足する少なくとも一つの２番目の隣接基地局を識別する制御部、を更に含むことを特徴とする請求項８に記載の広帯域通信システムにおける負荷均等のための装置。
【請求項１５】
広帯域通信システムにおいて初期ネットワーク進入時に負荷均等（Ｌｏａｄ  Ｂａｌａｎｃｉｎｇ）を行うためのユーザ端末の運用方法であって、
レンジング要請メッセージを基地局に送信する段階と、
「ａｂｏｒｔ」に設定されたレンジング状態、前記ユーザ端末がレンジングを再度行うチャネルのための少なくとも一つのＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを受信する段階と、
前記ユーザ端末がレンジングを再度行うチャネルのためのＦＡ、及び前記ユーザ端末がレンジングを再度行うためのターゲット基地局のプリアンブルインデックスを用いてレンジングを再度行う段階と、を有することを特徴とする広帯域通信システムにおける負荷均等のための方法。
【請求項１６】
前記ＦＡは、前記ユーザ端末がレンジングを再度行うためのターゲット基地局のダウンリンクチャネルのＦＡを含むことを特徴とする請求項１５に記載の広帯域通信システムにおける負荷均等のための方法。
【請求項１７】
前記ターゲット基地局のプリアンブルインデックスがターゲット基地局のための２つ以上のプリアンブルインデックスを含む場合、該プリアンブルインデックスは、優先順に整列されることを特徴とする請求項１５に記載の広帯域通信システムにおける負荷均等のための方法。
【請求項１８】
前記ターゲット基地局のプリアンブルインデックスが前記ＦＡと共に用いられる場合、前記ユーザ端末がレンジングを再度行う際に、前記ターゲット基地局のプリアンブルインデックスによって識別されたダウンリンクチャネル上で行なわれることを特徴とする請求項１５に記載の広帯域通信システムにおける負荷均等のための方法。
【請求項１９】
前記広帯域通信システムは、ＯＦＤＭ又はＯＦＤＭＡシステムであることを特徴とする請求項１５に記載の広帯域通信システムにおける負荷均等のための方法。
【請求項２０】
前記レンジング応答メッセージは、前記ターゲット基地局の前記プリアンブルインデックスに関連するサービスレベル予測（Ｓｅｒｖｉｃｅ  Ｌｅｖｅｌ  Ｐｒｅｄｉｃｔｉｏｎ：ＳＬＰ）値を更に含むことを特徴とする請求項１５に記載の広帯域通信システムにおける負荷均等のための方法。
【請求項２１】
広帯域通信システムにおいて初期ネットワーク進入時に負荷均等（Ｌｏａｄ  Ｂａｌａｎｃｉｎｇ）を行うための装置であって、
レンジング要請メッセージを基地局に送信するＯＦＤＭ送信部と、
「ａｂｏｒｔ」に設定されたレンジング状態、ユーザ端末がレンジングを再度行うチャネルのための少なくとも一つのＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを受信するＯＦＤＭ受信部と、
前記ユーザ端末がレンジングを再度行うチャネルのためのＦＡ、及び前記ユーザ端末がレンジングを再度行うためのターゲット基地局のプリアンブルインデックスを用いてレンジングを再度行う制御部と、を備えることを特徴とする広帯域通信システムにおける負荷均等のための装置。
【請求項２２】
前記ＦＡは、前記ユーザ端末がレンジングを再度行うためのターゲット基地局のダウンリンクチャネルのＦＡを含むことを特徴とする請求項２１に記載の広帯域通信システムにおける負荷均等のための装置。
【請求項２３】
前記ターゲット基地局のプリアンブルインデックスがターゲット基地局のための２つ以上のプリアンブルインデックスを含む場合、該プリアンブルインデックスは、優先順に整列されることを特徴とする請求項２１に記載の広帯域通信システムにおける負荷均等のための装置。
【請求項２４】
前記ターゲット基地局のプリアンブルインデックスが前記ＦＡと共に用いられる場合、前記ユーザ端末がレンジングを再度行う際に、前記ターゲット基地局のプリアンブルインデックスによって識別されたダウンリンクチャネル上で行なわれることを特徴とする請求項２１に記載の広帯域通信システムにおける負荷均等のための装置。
【請求項２５】
前記広帯域通信システムは、ＯＦＤＭ又はＯＦＤＭＡシステムであることを特徴とする請求項２１に記載の広帯域通信システムにおける負荷均等のための装置。
【請求項２６】
前記レンジング応答メッセージは、前記ターゲット基地局の前記プリアンブルインデックスに関連するサービスレベル予測（Ｓｅｒｖｉｃｅ  Ｌｅｖｅｌ  Ｐｒｅｄｉｃｔｉｏｎ：ＳＬＰ）値を更に含むことを特徴とする請求項２１に記載の広帯域通信システムにおける負荷均等のための装置。
【発明の詳細な説明】
【技術分野】
【０００１】
本発明は、広帯域通信システムにおける負荷均等のための方法及び装置に関し、より詳細には、ネットワーク進入（Ｎｅｔｗｏｒｋ  Ｅｎｔｒｙ）時にレンジング手順を利用した負荷均等方法及び装置に関する。
【背景技術】
【０００２】
ＣＤＭＡ（Ｃｏｄｅ  Ｄｉｖｉｓｉｏｎ  Ｍｕｌｔｉｐｌｅ  Ａｃｃｅｓｓ）又はＧＳＭ（登録商標）（Ｇｌｏｂａｌ  Ｓｙｓｔｅｍ  ｆｏｒ  Ｍｏｂｉｌｅ）のような従来の回線交換基盤の通信網で、接続（ｃｏｎｎｅｃｔｉｏｎ）別に求められる容量及び割り当てられる無線資源が一定なので、負荷均等（Ｌｏａｄ  Ｂａｌａｎｃｉｎｇ）を行うためには、加入者数と接続数のみを確認することで十分であった。以下の説明では、一つの接続は、サービスフロー（Ｓｅｒｖｉｃｅ  Ｆｌｏｗ：以下、ＳＦとする）と称する。
【０００３】
図１は、従来の技術による新たなサービス呼生成要請に対する接続受付制御（Ｃｏｎｎｅｃｔｉｏｎ  Ａｄｍｉｓｓｉｏｎ  Ｃｏｎｔｒｏｌ；以下、ＣＡＣとする）フローチャートを示している。既に許容されたＱｏＳサービスフロー（ｓｅｒｖｉｃｅ  ｆｌｏｗ）がＱｏＳ要求事項を変更しようとする場合には、ステップＳ１００とステップＳ１０２を省略してステップＳ１０４から行うことができる。
【０００４】
図１に示すように、先ず、基地局は、ステップＳ１００で端末から呼接続要請を受信する。
【０００５】
次いで、基地局は、ステップＳ１０２で、既に許容されたサービスフロー数ＮＣＩＤと最大接続可能なサービスフロー数ＮＭＡＸ＿ＣＩＤとを比較して、ＮＣＩＤよりＮＭＡＸ＿ＣＩＤが小さいか、又は同じであると、ステップＳ１１０に進んで、呼接続要請に対して拒絶する。仮に、ＮＭＡＸ＿ＣＩＤがＮＣＩＤより大きい場合に基地局はステップＳ１０４に進んで、ＱｏＳ（Ｑｕａｌｉｔｙ  ｏｆ  Ｓｅｒｖｉｃｅ）呼であるか否かを確認し、ＱｏＳ呼と判断された場合、該当モードに進む。仮に、ＱｏＳ呼ではない場合、基地局は、ステップＳ１０６に進んでＢＥ（Ｂｅｓｔ  Ｅｆｆｏｒｔ）サービスと設定し、その後、基地局は、ステップＳ１０８に進んで呼接続要請に対して受付する。この具現によって、ステップＳ１０２は、再度次の通りに細部ステップを行うことができる。先ず、全体基地局又はサブセル（Ｓｕｂ  Ｃｅｌｌ）が許容することができるサービスフロー数を確認し、許容されると、該当ユーザに許容することができるサービスフロー数をダウンリンク、アップリンクのそれぞれに対して確認するか、又はダウンリンクとアップリンクとの総合数を確認する。
【０００６】
しかし、ＷｉＭＡＸや３ＧＰＰ２のような３世代以後の無線網では、多様なトラフィック特性（リアルタイム対非リアルタイム、固定ビットレート（Ｃｏｎｓｔａｎｔ  Ｂｉｔ  Ｒａｔｅ：ＣＢＲ）対可変ビットレート（Ｖａｒｉａｂｌｅ  Ｂｉｔ  Ｒａｔｅ：ＶＢＲ））などを有したマルチメディアアプリケーションを単一基地局で同時に支援せねばならず、各トラフィック特性に応じて高級アクセス技術（例：ＡＭＣ、ＨＡＲＱ、ＰＦスケジューリング、ＭＩＭＯ）が区別して適用されることによって、加入者数と接続数のみを確認することでは、負荷均等を行うのが難しくなった。このような多様なトラフィック特性によって、接続受付制御のために、各接続別帯域幅要求容量をトラフィック形態別に確認せねばならず、スケジューラも各接続別に処理要求時間を区別してスケジューリングしなければならないという負担が生じる。
【０００７】
以下、広帯域通信システムにおいて負荷均等（Ｌｏａｄ  Ｂａｌａｎｃｉｎｇ）と関連して、現在のＩＥＥＥ８０２．１６規格を説明する。
【０００８】
第１に、ＩＥＥＥ８０２．１６規格上、初期ネットワーク進入（ｉｎｉｔｉａｌ  Ｎｅｔｗｏｒｋ  Ｅｎｔｒｙ）、ネットワーク再進入（Ｎｅｔｗｏｒｋ  Ｒｅ−ｅｎｔｒｙ、又はＱｕｉｃｋ  Ｃｏｎｎｅｃｔｉｏｎ  Ｓｔｅｐ（ＱＣＳ））、ハンドオーバ時に、レンジング要請（Ｒａｎｇｉｎｇ  Ｒｅｑｕｅｓｔ：ＲＮＧ−ＲＥＱ）後にサービングＦＡ（Ｆｒｅｑｕｅｎｃｙ  Ａｓｓｉｇｎｍｅｎｔ）が該当端末を支援できない場合、該当サービングＦＡを中断（「ａｂｏｒｔ」）させ、他のＦＡ（４ｂｙｔｅ、単位Ｋｈｚ）をオーバーライディング（ｏｖｅｒｒｉｄｉｎｇ）して、レンジング応答（Ｒａｎｇｉｎｇ  Ｒｅｓｐｏｎｓｅ：ＲＮＧ−ＲＳＰ）を介して該当端末に通報できるようになっている。
【０００９】
第２に、ＢＳＨＯ−ＲＥＱ（ＢＳ  ＨＯ  ＲＥＱｕｅｓｔ）又はＭＳＨＯ−ＲＥＱ（ＭＳ  ＨＯ  ＲＥＱｕｅｓｔ）、ＢＳＨＯ−ＲＳＰ（ＢＳ  ＨＯ  ＲｅＳＰｏｎｓｅ）、ＳＣＮ−ＲＥＱ（ＳＣａＮｎｉｎｇ  ｉｎｔｅｒｖａｌ  ａｌｌｏｃａｔｉｏｎ  ＲＥＱｕｅｓｔ）又はＳＣＮ−ＲＳＰ（ＳＣａＮｎｉｎｇ  ｉｎｔｅｒｖａｌ  ａｌｌｏｃａｔｉｏｎ  ＲｅＳＰｏｎｓｅ）の場合には、基地局のサブセル識別子であるＢＳＩＤを通報するが、ＲＮＧ−ＲＳＰの場合にはＦＡを通報する。ＢＳＩＤとサブセル（ｓｕｂ−ｃｅｌｌ）は、１：１にマッピングされるので（１ｓｕｂｃｅｌｌ＝１ＦＡ／１ｓｅｃｔｏｒ）、一つのセクターにＦＡが複数使用される場合に、ＦＡ数分だけＢＳＩＤが一つのセクターに使用され、反対に一つのＦＡが３個のセクターに割り当てられると、該当ＦＡに対して３個のＢＳＩＤが使用される。
【００１０】
第３に、ＲＮＧ−ＲＳＰ（ＢＳＨＯ−ＲＥＱ及びＢＳＨＯ−ＲＳＰも可能）を介して、標準規格上、ＣＡＣ結果をサービスレベル予測（Ｓｅｒｖｉｃｅ  Ｌｅｖｅｌ  Ｐｒｅｄｉｃｔｉｏｎ：以下、ＳＬＰとする）を介して提供している。即ち、ＳＬＰ値は、端末がこの基地局から期待できるサービスレベルを説明する。例えば、ＳＬＰが「０」である場合に「端末にどんなサービスも提供できないこと」を意味し、ＳＬＰが「１」である場合に「一つ又はそれ以上のある程度に該当するサービスを提供できること」を意味し、ＳＬＰが「２」である場合に「各認証サービスフローに対してＭＡＣ接続は、ＡｕｔｈｏｒｉｚｅｄＱｏＳＰａｒａｍＳｅｔと明示されたＱｏＳと共に設定される」ことを意味し、ＳＬＰが「３」である場合に「サービスレベル予測不可能」を意味する。
【００１１】
しかし、負荷均等と関連して現在のＩＥＥＥ８０２．１６規格は、次のような問題点がある。
【００１２】
第１に、レンジング要請時に基地局は、負荷確認（ｌｏａｄ  ｃｈｅｃｋ）をどのようにするべきか、サービングサブセルが該当端末を支援できない場合にレンジング応答にオーバーライディングするＦＡをどのように選択するか、レンジング応答時にオーバーライディングしたＦＡを端末がどのように処理するか、レンジング応答後にシステムと端末との連動手順はどのようにするべきかが標準規格に明確に詳説されていないから、全体的に完結した負荷均等方案が存在しない。例えば、端末は、端末自体が推定した無線環境に基づいて、基地局が指定しないＦＡに対して初期ネットワーク進入手順から行うことができ、この場合に基地局は、負荷均等により他のＦＡを指定するはずなので、この過程が繰り返され続ける可能性がある。更に他の例は、オーバーライディング時にＦＡを知らせるが、一つのＦＡは、複数のサブセルを有することができるので、端末は、どんなサブセルを選択しなければならないのかが明確でない。
【００１３】
第２に、同じセクター（ｓｅｃｔｏｒ）内にあるＦＡに対しては、ダウンリンク（ＤｏｗｎＬｉｎｋ）の無線状況が似ているが、他のセクターにあるＦＡの場合には、無線状況が大きく異なりうる。このとき、基地局が負荷均等のみを考慮して無線状況を考慮しないならば、端末は、無線状況の良い側にハンドオーバを試みるはずなので、基地局と端末との要求事項が互いに異なるだけ、ピンポン（ｐｉｎｇ  ｐｏｎｇ）現象が発生しうる。
【００１４】
第３に、初期ネットワーク進入時に、ネットワーク再進入時及びハンドオーバ時に考慮される負荷均等制御は、すべてレンジング手順を介して制御されるが、次のような差異点を考慮しなければならない。初期ネットワーク進入の場合には、レンジング手順時にサービスフローに対する情報が全くないのでユーザ数のみを確認し、ネットワーク再進入時及びハンドオーバの場合には、レンジング手順時にユーザ数、かつサービスフローに対する情報がすべて分かるので、ユーザ数と共にサービスフロー数及び各サービスフローのＢＷ（ＢａｎｄＷｉｄｔｈ）を更に考慮する必要がある。サービスの連続性の側面では、初期接続及び再接続時にはサービスが始まらなかったので、負荷均等制御時にそれぞれ初期ネットワーク進入又はネットワーク再進入時に再進入を誘導することが好ましく、ハンドオーバ時には、サービス中であるから、シームレス（ｓｅａｍｌｅｓｓ）サービスのために負荷均等制御時にハンドオーバを誘導することが好ましい。
【００１５】
第４に、ネットワーク再進入時及びハンドオーバ時に加入者数の制限を超えることなく、該当端末のすべてのサービスフローを許容することができる候補サブセルが存在しない可能性もある。即ち、一部のサービスフローは許容するが、残りの一部サービスフローが許容されない場合に対して考慮する方案が必要である。
【発明の概要】
【発明が解決しようとする課題】
【００１６】
本発明は、上記従来の問題点に鑑みてなされたものであって、本発明の目的は、広帯域通信システムにおいてネットワーク進入時に負荷均等を行うための方法及び装置を提供することにある。
【課題を解決するための手段】
【００１７】
上記目的を達成するためになされた本発明の一特徴による広帯域通信システムにおいて初期ネットワーク進入時に負荷均等（Ｌｏａｄ  Ｂａｌａｎｃｉｎｇ）を行うための基地局の運用方法は、ユーザ端末からレンジング要請メッセージを受信する段階と、前記レンジング要請メッセージの受信時に、ネットワーク負荷によって前記ユーザ端末を収容するか否かを判断する段階と、前記ユーザ端末を収容することができない場合、レンジング状態を「ａｂｏｒｔ」に設定する段階と、前記「ａｂｏｒｔ」に設定されたレンジング状態、前記ユーザ端末がレンジングを再度行うチャネルのための少なくともＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを生成する段階と、前記レンジング要請メッセージに応答して前記レンジング応答メッセージを前記ユーザ端末に送信する段階と、を有する。
【００１８】
上記目的を達成するためになされた本発明の一特徴による広帯域通信システムにおいて初期ネットワーク進入時に負荷均等（Ｌｏａｄ  Ｂａｌａｎｃｉｎｇ）を行うための装置は、ユーザ端末からレンジング要請メッセージを受信するＯＦＤＭ受信部と、前記レンジング要請メッセージの受信時に、ネットワーク負荷によって前記ユーザ端末を収容するか否かを判断する加入者制限部と、前記ユーザ端末を収容することができない場合、レンジング状態を「ａｂｏｒｔ」に設定し、前記「ａｂｏｒｔ」に設定されたレンジング状態、前記ユーザ端末がレンジングを再度行うチャネルのための少なくとも一つのＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを生成する負荷均等制御部と、前記レンジング要請メッセージに応答して前記レンジング応答メッセージを前記ユーザ端末に送信するＯＦＤＭ送信部と、を備える。
【００１９】
上記目的を達成するためになされた本発明の他の特徴による広帯域通信システムにおいて初期ネットワーク進入時に負荷均等（Ｌｏａｄ  Ｂａｌａｎｃｉｎｇ）を行うためのユーザ端末の運用方法は、レンジング要請メッセージを基地局に送信する段階と、「ａｂｏｒｔ」に設定されたレンジング状態、前記ユーザ端末がレンジングを再度行うチャネルのための少なくとも一つのＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを受信する段階と、前記ユーザ端末がレンジングを再度行うチャネルのためのＦＡ、及び前記ユーザ端末がレンジングを再度行うためのターゲット基地局のプリアンブルインデックスを用いてレンジングを再度行う段階と、を有する。
【００２０】
上記目的を達成するためになされた本発明の他の特徴による広帯域通信システムにおいて初期ネットワーク進入時に負荷均等（Ｌｏａｄ  Ｂａｌａｎｃｉｎｇ）を行うための装置は、レンジング要請メッセージを基地局に送信するＯＦＤＭ送信部と、「ａｂｏｒｔ」に設定されたレンジング状態、ユーザ端末がレンジングを再度行うチャネルのための少なくとも一つのＦＡ（ｆｒｅｑｕｅｎｃｙ  Ａｓｓｉｇｎｍｅｎｔ）、及び前記ユーザ端末がレンジングを再度行うためのターゲット基地局のプリアンブルインデックス（ｐｒｅａｍｂｌｅ  ｉｎｄｅｘ）を含むレンジング応答メッセージを受信するＯＦＤＭ受信部と、前記ユーザ端末がレンジングを再度行うチャネルのためのＦＡ、及び前記ユーザ端末がレンジングを再度行うためのターゲット基地局のプリアンブルインデックスを用いてレンジングを再度行う制御部と、を備える。
【発明の効果】
【００２１】
本発明の広帯域通信システムにおける負荷均等のための方法及び装置によれば、広帯域通信システムにおいて、一つ以上の複数のサブセル（１ＦＡ／１ｓｅｃｔｏｒ）を管理している場合、与えられた無線資源を多重ユーザに均衡配分することができる方案を提示することによって、無線インタフェースの使用率を最大化することができるという利点がある。
【図面の簡単な説明】
【００２２】
【図１】従来の技術による接続受付制御のフローチャートである。
【図２】本発明の一実施形態による広帯域通信システムにおいて初期ネットワーク進入時にチャネル状態情報なしで負荷均等を行う基地局の動作フローチャートである。
【図３】本発明の第１の実施形態による広帯域通信システムにおいて初期ネットワーク進入時にチャネル状態情報を利用して負荷均等を行う信号フローチャートである。
【図４】本発明の第２の実施形態による広帯域通信システムにおいて初期ネットワーク進入時にチャネル状態情報を利用して負荷均等を行う信号フローチャートである。
【図５】本発明の一実施形態による広帯域通信システムにおいてネットワーク再進入時にチャネル状態情報なしで負荷均等を行う基地局の動作フローチャートである。
【図６】本発明の第１の実施形態による広帯域通信システムにおいてネットワーク再進入時にチャネル状態情報を利用して負荷均等を行う信号フローチャートである。
【図７】本発明の第２の実施形態による広帯域通信システムにおいてネットワーク再進入時にチャネル状態情報を利用して負荷均等を行う信号フローチャートである。
【図８】本発明の一実施形態による広帯域通信システムにおいて受付制御（Ａｄｍｉｓｓｉｏｎ  Ｃｏｎｔｒｏｌ）を利用した負荷均等のための基地局装置図である。
【図９】本発明の他の実施形態による広帯域通信システムにおいて初期ネットワーク進入時にチャネル状態情報なしで負荷均等を行う基地局の動作フローチャートである。
【図１０】本発明の他の実施形態による広帯域通信システムにおいてネットワーク再進入又はハンドオーバ時にチャネル状態情報なしで負荷均等を行う基地局の動作フローチャートである。
【図１１】本発明の他の実施形態による広帯域通信システムにおいてネットワーク再進入又はハンドオーバ時にチャネル状態情報なしで負荷均等を行う基地局の動作フローチャートである。
【図１２】本発明の他実施の形態による広帯域通信システムにおいてネットワーク再進入又はハンドオーバ時にチャネル状態情報なしで負荷均等を行う基地局の動作フローチャートである。
【図１３】本発明の他の実施形態による広帯域通信システムにおいてネットワーク再進入又はハンドオーバ時にチャネル状態情報なしで負荷均等を行う基地局の動作フローチャートである。
【発明を実施するための形態】
【００２３】
以下、本発明の広帯域通信システムにおける負荷均等のための方法及び装置を実施するための形態の具体例を、図面を参照しながら詳細に説明する。そして、本発明を説明するに当たって、本発明の要旨と無関係な機能或いは構成については、その詳細な説明を省略する。そして、後述する用語は、本発明での機能を考慮して定義された用語であって、これは、ユーザ、運用者の意図又は慣例などによって変わりうる。従って、その定義は、本明細書の全般に亘った内容に基づいて行われる。
【００２４】
以下、本発明における、広帯域通信システムで一つの基地局が一つ以上の複数のサブセル（１ＦＡ／１ｓｅｃｔｏｒ）で無線資源を多重ユーザに均衡配分するための方法及び装置について説明する。
【００２５】
図２は、本発明の一実施形態による広帯域通信システムにおいて初期ネットワーク進入時にチャネル状態情報なしで負荷均等を行う基地局の動作フローチャートを示している。
【００２６】
図２に示すように、先ず、基地局は、ステップＳ２００において、初期ネットワーク進入時に、端末からレンジング要請メッセージを受信する。
【００２７】
次いで、基地局は、ステップＳ２０２で、レンジング要請に対して利用可能な無線資源とＣＰＵ負荷及び最大許容加入者数を確認する。ここで、制御局当たり、基地局当たり、サブセル当たり、加入者当たり、加入者等級別最大許容可能なダウンリンク／アップリンクＳＦ数の超過の有無も、加入者数の制限チェック項目になりうる。例えば、ＩＥＥＥ８０２．１６標準の場合に、サブセル当たりの最大許容アウェイク（ａｗａｋｅ）及びスリープ（ｓｌｅｅｐ）ユーザ数の制限があり、ＡＳＮ＿ＧＷ（Ａｃｃｅｓｓ  Ｓｅｒｖｉｃｅ  Ｎｅｔｗｏｒｋ  Ｇａｔｅｗａｙ）は、ａｃｔｉｖｅ（ａｗａｋｅ＋ｓｌｅｅｐ）ユーザ数及びアイドル（ｉｄｌｅ）モードユーザ数の制限が存在する。ＣＰＵ負荷に応じた加入者数の制限である場合に、ＣＰＵ負荷を「ｏｖｅｒ  ｌｏａｄ」、「ｈｅａｖｙ  ｌｏａｄ」、「ｎｏｒｍａｌ」、「ｌｉｇｈｔ  ｌｏａｄ」、「ｎｏ  ｌｏａｄ」の５つのステップに分け、それぞれのステップに対して許容することができる追加加入者数をそれぞれ最大許容値の０％、１０％、５０％、７０％、１００％に設定できる。
【００２８】
ここで、ステップＳ２０２において、レンジング手順に対する加入者数の制限を超えない場合に、基地局は、ステップＳ２１６に進んでレンジング状態を「ｓｕｃｃｅｓｓ」と設定する。基地局は、初期レンジングコードが許容可能な範囲（ｔｏｌｅｒａｂｌｅ  ｒａｎｇｅ）で受信された場合には、レンジング状態を「ｓｕｃｃｅｓｓ」と設定する。
【００２９】
仮に、ステップＳ２０２で、レンジング手順に対する加入者数の制限を超える場合に、基地局は、ステップＳ２０４に進んで候補ＦＡ（又はサブセル）を選択する。ここで、候補ＦＡ（又はサブセル）を選定する際に、先ず同じセクター内にあるＦＡ（又はサブセル）を選定し、同じセクター内で許容されない場合に、他のセクターやＮＢＲ−ＡＤＶ（Ｎｅｉｇｈｂｏｒ  Ａｄｖｅｒｔｉｓｅｍｅｎｔ）メッセージに含まれた隣接セルのＦＡ又はサブセルを選定する。
【００３０】
端末がハンドオーバを行う環境であれば、同じセクターにあるＦＡ（又はサブセル）を選定し、同じセクター内でＦＡ（又はサブセル）が許容されない場合に、他のセクターのＦＡ（又はサブセル）を選定して負荷均等を行うことが良い。しかし、端末がハンドオーバを行わない環境（即ち、端末の移動性が少ない場合）であれば、同じセクター内でＦＡ（又はサブセル）が許容されない場合に他のセクターのＦＡ（又はサブセル）を選定して負荷均等を行うことは、むしろ性能を落としうる。即ち、他のセクターのＦＡ（又はサブセル）が許容可能であっても、ハンドオーバの遂行が要らない環境で、他のセクターのＦＡ（又はサブセル）が無線チャネルにおいて同じセクターのＦＡ（又はサブセル）より悪いことがありうるためである。従って、この場合には、同じセクター内にＦＡ（又はサブセル）がすべて許容されなくても、同じセクター内で部分的に負荷均等を行うこともできる。
【００３１】
次いで、ＣＰＵに負荷が多くかかり、許容加入者数を超過すると、基地局は、ステップＳ２０６で選択した候補ＦＡ（又はサブセル）に対して負荷状態を確認する。ここで、候補ＦＡ（又はサブセル）に対する負荷状態を確認するために、隣接基地局から候補ＦＡ（又はサブセル）に対する負荷状態が周期的に報告されることで確認（プル方式）するか、又は候補ＦＡ（又はサブセル）に対する負荷状態の確認が必要なときに要請して確認する（プッシュ方式）ことができる。
【００３２】
次いで、基地局は、ステップＳ２０８で、負荷状態を考慮して利用可能な候補ＦＡ（又はサブセル）の存在の有無を確認し、利用可能な候補ＦＡ（又はサブセル）がない場合、ステップＳ２１４に進んでオーバーライディングなしでレンジング状態を「ａｂｏｒｔ」と設定する。仮に、ステップＳ２０８で、利用可能な候補ＦＡ（又はサブセル）がある場合、基地局は、ステップＳ２１０でレンジング状態を「ａｂｏｒｔ」と設定し、利用可能なＦＡ（又はサブセル）を使用するように既存のＦＡ（又はサブセル）をオーバーライディングする。レンジング要請を受信したサブセルが該当端末を支援できない場合に、該当端末は、初期接続が失敗してヌル（ｎｕｌｌ）状態であるから、レンジング応答メッセージにあるＦＡ又はサブセル（許容可能なＦＡやサブセルが複数である場合、このうちの何れか一つを選択して）に初期接続を試みるか、又は放送メッセージ（ＮｅｉｇｈＢｏＲ  ＡＤＶｅｒｔｉｓｅｍｅｎｔ  ｍｅｓｓａｇｅ：ＮＢＲ−ＡＤＶ）にあるサブセルを任意に選択して初期接続を試みることができる。
【００３３】
次いで、基地局は、ステップＳ２１２で、設定されたレンジング状態及び許容可能なＦＡ（又はサブセルＩＤ）をレンジング応答メッセージに含めて送信する。ここで、レンジング応答メッセージに「ａｂｏｒｔ」を設定し、他の許容可能なＦＡを知らせる場合に、レンジングメッセージを受信したサブセルのみならず、他の許容可能なＦＡ（又はサブセル）に対してもＳＬＰ値を記述することができ、同じセクターであるか否かも共に通報する。現在の規格でレンジングメッセージのＴＬＶ（Ｔｙｐｅ／Ｌｅｎｇｔｈ／Ｖａｌｕｅ）構造は、一つのＦＡのみが許容されるようになっているが、本発明では、複数のＦＡ又は一つ若しくは複数のサブセルＩＤ（ＢＳＩＤ）も含むことができるように提案する。ハンドオーバ動作モードである場合に、ターゲットサブセル又はＦＡが同じセクターにあるか、又は無線状況に似ている場合に有用である。
【００３４】
更に他の場合に、レンジング状態が「ａｂｏｒｔ」で、かつ許容可能なＦＡ（又はサブセルＩＤ）がない場合に、該当端末は、ネットワーク進入手順を行うことができる。そして、レンジング状態が「ｓｕｃｃｅｓｓ」である場合に、基地局及び端末は、現在のサービングＦＡ又はサービングサブセルＩＤを維持して使用する。
【００３５】
上述したように、レンジング応答メッセージを介してＦＡ情報のみを知らせることができるが、更に他の実施の形態によって、他の許容可能なＦＡを送信する場合に、プリアンブル（ｐｒｅａｍｂｌｅ  ｉｎｄｅｘ）も共に送信し、端末がどのサブセルに該当しているかを容易に探索できるようにする。また、同じセクターにある候補ＦＡに対しては、スキャニングを省略することが基本であり、他のセクターにあるとしても、追加的なスキャニングなしで他の許容可能なＦＡ（プリアンブルインデックス同伴）を送信するか又はサブセルを送信し、端末が許容可能なサブセルのうちの一つを選択して、負荷均等制御を行うことができる。しかし、予めスキャニングをする場合、ＮＢＲ−ＡＤＶメッセージの隣接基地局の目録にあるすべてのサブセルではなく、最も適切な少数の候補ＦＡ又は候補サブセルのみをレンジング応答メッセージを介して送信できるために、レンジング応答メッセージの大きさを減らして無線資源の浪費を減らすことができる。
【００３６】
その後、本実施形態の負荷均等手順を終了する。
【００３７】
図２の場合、基地局がチャネル状態を考慮せずに負荷状態のみを考慮して負荷均等手順を行うため、負荷の少ないＦＡ又はサブセルのチャネル状態が悪い場合に、端末は、他のＦＡ又はサブセルにネットワーク進入を再度試みるはずである。
【００３８】
図３は、本発明の第１の実施形態による広帯域通信システムにおいて初期ネットワーク進入時にチャネル状態情報を利用して負荷均等を行う信号フローチャートを示している。
【００３９】
図３に示すように、端末は、初期ネットワーク進入時（ステップＳ３００）に、ステップＳ３０２で基地局にレンジング要請メッセージを送信する。
【００４０】
次いで、基地局は、ステップＳ３０４で、レンジング要請に対して過負荷（ＣＰＵ又はメモリ）及び加入者数の制限を超えるか否かを確認する。ここで、基地局は、加入者数の制限を超える場合、候補ＦＡ又はサブセルを選択する。
【００４１】
次いで、基地局は、ステップＳ３０６で、スキャニング区間にスキャニング応答ＳＣＮ＿ＲＳＰを端末に送信して、スキャニングを要求する。
【００４２】
次いで、端末は、ステップＳ３０８で、スキャニング区間の間に候補サブセルにスキャニング結果を、スキャニング報告ＳＣＮ＿ＲＥＰメッセージを介して報告する。
【００４３】
次いで、基地局は、ステップＳ３１０で、報告されたスキャニング結果を利用して、ハンドオーバと負荷均等により発生するピンポン（Ｐｉｎｇ−Ｐｏｎｇ）を起こさない程度のチャネル状態を有するサブセルを選択して、選択されたサブセルに対して負荷状態を確認する。このとき、負荷状態の確認は、ステップＳ３１４のように候補基地局から周期的に負荷状態が報告されることで確認することができる。他の実施形態として、負荷状態の確認が必要な時に（例：スキャニング報告後にチャネル状態を満たすサブセルに対して負荷状態の確認が必要な場合）負荷状態を候補基地局に要請して確認することもできる（図３に図示せず）。
【００４４】
次いで、基地局は、ステップＳ３１２で、候補サブセルに対するスキャニング結果に基づいて確認された候補サブセルの負荷状態を考慮してターゲットサブセルを決定し、レンジング応答メッセージを介して端末に通報する。従って、端末と基地局とは、候補サブセルの負荷状態とチャネル状態とを考慮することによって、ハンドオーバと負荷均等による候補ＦＡ又は候補サブセル間のピンポン現象を避けることができる。
【００４５】
このとき、レンジング応答メッセージを介して負荷確認又はチャネル状態の結果に応じて端末に知らせる情報は、「許容可能なすべてのＦＡ又はサブセルＩＤをリスト」、「許容可能なＦＡ又はサブセルＩＤのうち、負荷が最も低いものから整列したリスト」、「許容可能なＦＡ又はサブセルＩＤをチャネル状態に整列したリスト」、「許容可能なＦＡ又はサブセルＩＤのうち、無線網が最も良いＦＡ又はサブセルＩＤ」、「許容可能なＦＡ又はサブセルＩＤのうち、負荷が最も低いＦＡ又はサブセルＩＤ」、「許容可能なＦＡ又はサブセルＩＤのうち、負荷及び無線網のそれぞれに対して比重を異なるようにして、最も良いＦＡ又はサブセルのＩＤ順に整列したリスト」、「許容可能なＦＡ又はサブセルＩＤのうち、負荷及びチャネル状態のそれぞれに対して異なる加重値を適用したＦＡ又はサブセルＩＤ」のうちの何れか一つである。
【００４６】
その後、本実施形態の負荷均等手順を終了する。
【００４７】
図４は、本発明の第２の実施形態による広帯域通信システムにおいて初期ネットワーク進入時にチャネル状態情報を利用して負荷均等を行うフローチャートを示している。
【００４８】
図４に示すように、端末は、初期ネットワーク進入時（ステップＳ３０１）に、ステップＳ３０３で基地局にレンジング要請メッセージを送信する。
【００４９】
次いで、基地局は、ステップＳ３０５で、レンジング要請に対してＣＰＵ負荷及び加入者数の制限を超えるか否かを確認する。ここで、基地局は、加入者数の制限を超える場合、候補ＦＡ又はサブセルを選択する。
【００５０】
次いで、基地局は、ステップＳ３０７で、候補サブセルに対して負荷状態を確認する。負荷状態の確認は、ステップＳ３１９のように候補基地局から周期的に負荷状態が報告されることで確認することができる。他の実施形態として、負荷状態の確認が必要な時に（例：スキャニング報告後にチャネル状態を満たすサブセルに対して負荷状態の確認が必要な場合）、負荷状態を候補基地局に要請して確認することもできる（図４に図示せず）。
【００５１】
次いで、基地局は、ステップＳ３０９で、候補サブセルに対する負荷状態を考慮して、許容可能な候補サブセルを、レンジング応答メッセージを介して端末に通報する。
【００５２】
次いで、端末は、ステップＳ３１１で、スキャニング要請ＳＣＮ＿ＲＥＱメッセージを基地局に要請する。
【００５３】
次いで、基地局は、ステップＳ３１３で、スキャニング応答メッセージを端末に送信する。
【００５４】
次いで、端末は、ステップＳ３１５で、スキャニング区間の間に負荷状態が考慮された候補サブセルに対して、スキャニング結果を、スキャニング報告ＳＣＮ＿ＲＥＰメッセージを介して報告する。他の実施形態として、後述するように、ハンドオーバフラグ（ＢＳ＿ｉｎｉｔ  ＨＯ  ｆｌａｇ）が設定されている場合、ステップＳ３１１〜ステップＳ３１５のスキャンニング手順は省略できる。
【００５５】
次いで、基地局は、ステップＳ３１７で、レンジング応答後に別途に基地局ハンドオーバ要請ＢＳＨＯ−ＲＥＱを送信して、強制的にハンドオーバを行って端末が初期ネットワーク進入を再度行うようにすることもでき、基地局でハンドオーバを開始ＢＳ＿ｉｎｉｔ  ＨＯする機能を果たすように、レンジング応答メッセージにハンドオーバ動作モード（ＨＯ  ｏｐｅｒａｔｉｏｎ  ｍｏｄｅ）（ｍａｎｄａｔｏｒｙ  ｏｒ  ｒｅｃｏｍｍｅｎｄ）を追加することもできる。レンジング応答後に、ＢＳＨＯ−ＲＥＱを送信するか、又はハンドオーバ動作モードを追加する過程を、図２と図３でも行うことができる。
【００５６】
その後、本実施形態の負荷均等手順を終了する。
【００５７】
図５は、本発明の一実施形態による広帯域通信システムにおいてネットワーク再進入時にチャネル状態の情報なしで負荷均等を行う基地局の動作フローチャートを示している。
【００５８】
図５に示すように、先ず、基地局は、ステップＳ４００で、ネットワーク再進入時に端末からレンジング要請メッセージを受信する。
【００５９】
次いで、基地局は、ステップＳ４０２で、レンジング要請に対して過負荷（ＣＰＵ又はメモリ）及び加入者数の制限を確認する。ここで、制御局当たり、基地局当たり、サブセル当たり、加入者当たり、加入者等級別最大許容可能なダウンリンク／アップリンクＳＦ数の超過の有無も、加入者数の制限チェック項目になりうる。例えば、ＩＥＥＥ８０２．１６標準の場合に、サブセル当たり最大許容アウェイク及びスリープユーザ数に制限があり、ＡＳＮ＿ＧＷは、アクティブ（アウェイク＋スリープ）ユーザ数及びアイドルモードユーザ数に制限が存在する。ＣＰＵ負荷に応じた加入者数の制限の場合に、ＣＰＵ負荷を「ｏｖｅｒ  ｌｏａｄ」、「ｈｅａｖｙ  ｌｏａｄ」、「ｎｏｒｍａｌ」、「ｌｉｇｈｔ  ｌｏａｄ」、「ｎｏ  ｌｏａｄ」の５つのステップに分け、それぞれのステップに対して許容することができる追加加入者数をそれぞれ最大許容値の０％、１０％、５０％、７０％、１００％に設定できる。
【００６０】
ここで、ステップＳ４０２で、レンジング手順に対する加入者数の制限を超えない場合に、基地局は、ステップＳ４０４に進んでｐｅｒ−ｆｌｏｗ  ＱｏＳのための接続受付制御を行う。次いで、基地局は、ステップＳ４０６でＱｏＳ  ＳＦをすべて許容するか否かを判断して、ＱｏＳ  ＳＦをすべて許容する場合、ステップＳ４０８に進んでレンジング状態を「ｓｕｃｃｅｓｓ」と設定する。仮に、ステップＳ４０６でＱｏＳ  ＳＦをすべて許容しない場合、ステップＳ４１２に進む。
【００６１】
仮に、ステップＳ４０２で、レンジング手順に対する加入者数の制限を超える場合に、基地局は、ステップＳ４１２に進んで候補ＦＡ（又はサブセル）を選択する。ここで、候補ＦＡ（又はサブセル）を選定する際、先ず同じセクター内にあるＦＡを選定し、同じセクター内で許容されない場合に、他のセクターやＮＢＲ−ＡＤＶ（Ｎｅｉｇｈｂｏｒ  Ａｄｖｅｒｔｉｓｅｍｅｎｔ）メッセージに含まれた隣接セルのＦＡ又はサブセルを選定する。
【００６２】
端末がハンドオーバを行う環境であれば、同じセクターにあるＦＡ（又はサブセル）を選定し、同じセクター内でＦＡ（又はサブセル）が許容されない場合には、他のセクターのＦＡ（又はサブセル）を選定して負荷均等を行うことが良い。しかし、端末がハンドオーバを行わない環境（即ち、端末の移動性が少ない場合）であれば、同じセクター内にＦＡ（又はサブセル）が許容されない場合には、他のセクターのＦＡ（又はサブセル）を選定して負荷均等を行うことは、むしろ性能を落としうる。即ち、他のセクターのＦＡ（又はサブセル）が許容可能であっても、ハンドオーバの遂行が要らない環境で他のセクターのＦＡ（又はサブセル）が無線チャネルにおいて同じセクターのＦＡ（又はサブセル）より悪いことがありうるためである。従って、この場合には、同じセクター内にＦＡ（又はサブセル）がすべて許容されなくても、同じセクター内で部分的に負荷均等を行うこともできる。
【００６３】
次いで、基地局は、ステップＳ４１４で、候補ＦＡ（又はサブセル）に対して負荷状態を確認する。ここで、候補ＦＡ（又はサブセル）に対する負荷状態を確認するために、候補ＦＡ（又はサブセル）に対する負荷状態が周期的に報告されることで確認（プル方式）するか、又は候補ＦＡ（又はサブセル）に対する負荷状態の確認が必要なときに要請して確認する（プッシュ方式）ことができる。
【００６４】
次いで、基地局は、ステップＳ４１６で、負荷状態を考慮して利用可能な候補ＦＡ（又はサブセル）が存在するか否かを確認する。
【００６５】
ここで、ステップＳ４１６で、利用可能な候補ＦＡ（又はサブセル）がなく、サービングサブセルの帯域幅に基づいて、ＱｏＳ  ＳＦが一部のみを許容する場合に、レンジング状態を「ｓｕｃｃｅｓｓ」又は「ａｂｏｒｔ」と設定して処理できる。
【００６６】
先ず、サービングサブセルの帯域幅に基づいて、ＱｏＳ  ＳＦが一部のみを許容する場合に、レンジング状態を「ｓｕｃｃｅｓｓ」と設定する場合を説明する。
【００６７】
ステップＳ４１６で利用可能な候補ＦＡ（又はサブセル）がなく、ステップＳ４１７でサービングサブセルの帯域幅に基づくＣＡＣにおいて一部ＱｏＳ  ＳＦのみが許容される場合、又はＢＥが存在する場合、ステップＳ４０８に進んでレンジング応答メッセージを「ｓｕｃｃｅｓｓ」と設定する。この場合、システムと端末の動作の方案は、以下の一つで提案できる。第１に、ＩＳＦ（Ｉｎｉｔｉａｌ  Ｓｅｒｖｉｃｅ  Ｆｌｏｗ）はすべて許容され、残りのＳＦのうちの一部が許容されない場合である。許容されるＳＦのみがＴＣＩＤ（Ｔｒａｆｆｉｃ  Ｃａｔｅｇｏｒｉｅｓ  ＩＤ）を割り当てて活性化し、許容されないＳＦのうち、固定ＱｏＳと設定されたＳＦは、別途のＤＳＣ（Ｄｙｎａｍｉｃ  Ｓｅｒｖｉｃｅ  Ｃｈａｎｇｅ）手順なしにシステムと端末の両方で格納管理し、動的ＱｏＳと設定されたＳＦは、別途のＤＳＤ（Ｄｙｎａｍｉｃ  Ｓｅｒｖｉｃｅ  Ｄｅｌｅｔｉｏｎ）手順なしにシステムと端末の両方で解放する。又は、許容されないＳＦは、レンジング応答メッセージの更新（ｕｐｄａｔｅ）を行わないことによって、システムと端末の両方で解放し、このとき、ＳＬＰ値を一部許容可能であると記述（ＩＥＥＥ８０２．１６標準の場合に、ＳＬＰ＝１）する。第２に、管理しているすべてのＳＦに対してＲＮＧ−ＲＥＱメッセージを送信する前に、システムと端末が格納していた状態をそのまま維持した後、直ちに基地局から始まる登録解除ＢＳ＿ｉｎｉｔ  ＤＲＥＧメッセージを送信して、端末をアイドルモード（ｉｄｌｅ  ｍｏｄｅ）にするか、又はＮＢＲ−ＡＤＶメッセージにあるすべてのＢＳＩＤを候補ＩＤとして、ＢＳ＿ｉｎｉｔ  ＢＳＨＯ−ＲＥＱを行う。許容されないＳＦがＩＳＦ（Ｉｎｉｔｉａｌ  Ｓｅｒｖｉｃｅ  Ｆｌｏｗ）である場合には、必ず第２の手順に従う。
【００６８】
次に、サービングサブセルの帯域幅に基づいて、ＱｏＳ  ＳＦが一部のみを許容しない場合に、レンジング状態を「ａｂｏｒｔ」と設定する場合を説明する。
【００６９】
ステップＳ４１６で利用可能な候補ＦＡ（又はサブセル）がなく、ステップＳ４１７でサービングサブセルの帯域幅に基づくＣＡＣで一部ＱｏＳ  ＳＦが許容されない場合、ステップＳ４２２に進んでオーバーライディングなしでレンジング状態を「ａｂｏｒｔ」と設定する。
【００７０】
仮に、ステップＳ４１６で、利用可能な候補ＦＡ（又はサブセルＩＤ）がある場合、基地局は、ステップＳ４２０でレンジング状態を「ａｂｏｒｔ」と設定し、利用可能なＦＡ（又はサブセルＩＤ）を使用するように既存のＦＡをオーバーライディングする。
【００７１】
次いで、基地局は、ステップＳ４１０で、設定されたレンジング状態と許容可能なＦＡ（又はサブセルＩＤ）情報をレンジング応答メッセージに含めて送信する。ここで、レンジング応答メッセージに「ａｂｏｒｔ」を設定し、他の許容可能なＦＡ（又はサブセルＩＤ）を知らせる場合に、レンジング要請メッセージを受信したサブセルのみならず、他の許容可能なＦＡに対してもＳＬＰ値を記述でき、同じセクターの有無も共に通報する。現在の規格でレンジングメッセージのＴＬＶ（Ｔｙｐｅ／Ｌｅｎｇｔｈ／Ｖａｌｕｅ）構造は、一つのＦＡのみが許容されうるようになっているが、本発明では、サブセルＩＤ（ＢＳＩＤ）も含むことができるように提案する。
【００７２】
ＳＬＰ技術に対する例を挙げると、同じセクター内にすべてのＳＦを許容する他のＦＡが存在する場合に、レンジング状態を「ａｂｏｒｔ」と設定して通知し、他のＦＡ（又はサブセルＩＤ）に対してＳＬＰ値をすべて許容可能であると記述（ＩＥＥＥ８０２．１６標準の場合に、ＳＬＰ＝２）する。このとき、サービングサブセルに対しては、ＳＬＰ値を記述する必要がない。サービングサブセルは、すべてのＳＦを許容できずに同じセクター内に一部ＳＦを許容できるＦＡ（又はサブセルＩＤ）がある場合に、レンジング状態を「ａｂｏｒｔ」と設定して通知し、他のＦＡ（又はサブセルＩＤ）に対してＳＬＰ値を一部許容可能であると記述（ＩＥＥＥ８０２．１６標準の場合に、ＳＬＰ＝１）する。このとき、サービングサブセルに対しては、ＳＬＰ値を記述する必要がない。この場合に端末は、端末自体のサービングサブセルが全く許容できないと解析する。同じセクター内にＦＡ（又はサブセルＩＤ）が全く許容されずに同じＢＳ内の他のＦＡやＢＳＩＤが許容可能な場合に、ＲＮＧ−ＲＳＰを「ａｂｏｒｔ」と設定して通知し、他のＦＡ（又はサブセルＩＤ）に対しＳＬＰ値を記述（ＩＥＥＥ８０２．１６標準の場合にＳＬＰ＝１又は２）する。このとき、サービングサブセルに対しては、ＳＬＰ値を記述する必要がない。この場合に、端末は、端末自体のサービングサブセルが全く許容できないとする。同じ基地局内のすべてのサブセルがＱｏＳの流れを全く許容できない場合に、レンジング状態を「ａｂｏｒｔ」と設定して知らせ、ＳＬＰ値を記述（ＩＥＥＥ８０２．１６標準の場合に、ＳＬＰ＝０）する。端末は、ユーザにディスプレイウィンドウを通してこのような状態を通報し、ユーザが特定時刻に該当基地局の過負荷を通報する。最後に、同じ基地局ではない他の基地局のサブセルに対しても負荷確認を行って、ＲＮＧ−ＲＳＰに許容可能なＦＡ又はサブセルＩＤ（ＢＳＩＤ）を通報する。
【００７３】
参考として、レンジング応答後に別途にＢＳＨＯ−ＲＥＱを送信して強制的にハンドオーバを行って、端末がネットワーク再進入又は初期ネットワーク進入を再度行うようにすることもでき、レンジング応答メッセージをＢＳ＿ｉｎｉｔ  ＨＯ機能を果たすことができるように、ハンドオーバ動作モード（ＨＯ  ｏｐｅｒａｔｉｏｎ  ｍｏｄｅ）（ｍａｎｄａｔｏｒｙ又はｒｅｃｏｍｍｅｎｄ）を追加することもできる。ＦＡがハンドオーバ動作モードである場合に、ターゲットサブセルやＦＡが同じセクターにあるか、又は無線状況が似ている場合に有用である。
【００７４】
その後、本実施形態の負荷均等手順を終了する。
【００７５】
図６は、本発明の第１の実施形態による広帯域通信システムにおいてネットワーク再進入時にチャネル状態情報を利用して負荷均等を行う基地局の動作フローチャートを示している。
【００７６】
図６に示すように、端末は、ネットワーク再進入時（ステップＳ５００）に、ステップＳ５０２で基地局にレンジング要請メッセージを送信する。
【００７７】
次いで、基地局は、ステップＳ５０４で、レンジング要請に対してＣＰＵ負荷及び加入者数の制限を確認する。
【００７８】
次いで、ＣＰＵ負荷及び加入者数の制限を超える場合、基地局は、ステップＳ５０６でｐｅｒ−ｆｌｏｗ  ＱｏＳのための接続受付制御（ＣＡＣ）を行う。
【００７９】
次いで、基地局は、ステップＳ５０８で、スキャニング区間とすべての候補サブセルに対して情報を含んだスキャニング応答ＳＣＮ＿ＲＳＰを端末に送信して、スキャニングを要求する。
【００８０】
次いで、端末は、ステップＳ５１０で、スキャニング区間の間に候補サブセルにスキャニング結果を、スキャニング報告ＳＣＮ＿ＲＥＰメッセージを介して報告する。
【００８１】
次いで、基地局は、ステップＳ５１２で、報告されたスキャニング結果を利用して、ハンドオーバと負荷均等により発生するピンポン（Ｐｉｎｇ−Ｐｏｎｇ）を起こさない程度のチャネル状態を有するサブセルを選択して、選択されたサブセルに対して負荷状態を確認する。このとき、負荷状態の確認は、ステップＳ５１６のように候補基地局から周期的に負荷状態が報告されることで確認することができる。他の実施形態として、負荷状態の確認が必要な時に（例：スキャニング報告後にチャネル状態を満たすサブセルに対して負荷状態の確認が必要な場合）、負荷状態を候補基地局に要請して確認することもできる（図６に図示せず）。
【００８２】
次いで、基地局は、ステップＳ５１４で、候補サブセルに対するスキャニング結果に基づいて確認された候補サブセルの負荷状態を考慮してターゲットサブセルを決定し、レンジング応答メッセージを介して端末に通報する。従って、端末と基地局とは、候補サブセルの負荷状態とチャネル状態とを考慮することによって、ハンドオーバと負荷均等による候補ＦＡ又は候補サブセル間のピンポン現象を避けることができる。
【００８３】
このとき、レンジング応答メッセージを介して負荷確認又はチャネル状態の結果によって端末に知らせる情報は、「許容可能なすべてのＦＡ又はサブセルＩＤをリスト」、「許容可能なＦＡ又はサブセルＩＤを負荷が最も低いものから整列したリスト」、「許容可能なＦＡ又はサブセルＩＤをチャネル状態に整列したリスト」、「許容可能なＦＡ又はサブセルＩＤのうち、無線網が最も良いＦＡ又はサブセルＩＤ」、「許容可能なＦＡ又はサブセルＩＤのうち、負荷が最も低いＦＡ又はサブセルＩＤ」、「許容可能なＦＡ又はサブセルＩＤのうち、負荷及び無線網のそれぞれに対して比重を異なるようにして、最も良いＦＡ又はサブセルＩＤの順に整列したリスト」、「許容可能なＦＡ又はサブセルＩＤのうち、負荷及びチャネル状態のそれぞれに対して異なる加重値を適用したＦＡ又はサブセルＩＤ」のうちの何れか一つである。
【００８４】
その後、本実施形態の負荷均等手順を終了する。
【００８５】
図７は、本発明の第２の実施形態による広帯域通信システムにおいてネットワーク再進入時にチャネル状態情報を利用して負荷均等を行う基地局の動作フローチャートを示している。
【００８６】
図７に示すように、端末は、ネットワーク再進入時（ステップＳ５０１）に、ステップＳ５０３で基地局にレンジング要請メッセージを送信する。
【００８７】
次いで、基地局は、ステップＳ５０５で、レンジング要請に対してＣＰＵ負荷及び加入者数の制限を確認する。
【００８８】
次いで、基地局は、ステップＳ５０７で、ｐｅｒ−ｆｌｏｗ  ＱｏＳのための接続受付制御（ＣＡＣ）を行う。
【００８９】
次いで、基地局は、ステップＳ５０９で、候補サブセルに対して負荷状態を確認する。負荷状態の確認は、ステップＳ５２１のように候補基地局から周期的に負荷状態が報告されることで確認することができる。他の実施形態として、負荷状態の確認が必要な時に（例：スキャニング報告後にチャネル状態を満たすサブセルに対して負荷状態の確認が必要な場合）、負荷状態を候補基地局に要請して確認することもできる（図７に図示せず）。
【００９０】
次いで、基地局は、ステップＳ５１１で、候補サブセルに対する負荷状態を考慮して、許容可能な候補サブセルを、レンジング応答メッセージを介して端末に通報する。
【００９１】
次いで、端末は、ステップＳ５１３で、スキャニング要請ＳＣＮ＿ＲＥＱメッセージを基地局に要請する。
【００９２】
次いで、基地局は、ステップＳ５１５で、スキャニング応答メッセージを端末に送信する。
【００９３】
次いで、端末は、ステップＳ５１７で、スキャニング区間の間に負荷状態が考慮された候補サブセルに対して、スキャニング結果を、スキャニング報告ＳＣＮ＿ＲＥＰメッセージを介して報告する。
【００９４】
次いで、基地局は、ステップＳ５１９で、レンジング応答後に別途に基地局ハンドオーバ要請ＢＳＨＯ−ＲＥＱを送信して、強制的にハンドオーバを行って、端末が初期ネットワーク進入を再度行うようにすることもでき、基地局でハンドオーバを開始ＢＳ＿ｉｎｉｔ  ＨＯする機能を果たすことができるように、レンジング応答メッセージにハンドオーバ動作モード（ＨＯ  ｏｐｅｒａｔｉｏｎ  ｍｏｄｅ）（ｍａｎｄａｔｏｒｙ  ｏｒ  ｒｅｃｏｍｍｅｎｄ）を追加することもできる。レンジング応答後にＢＳＨＯ−ＲＥＱを送信するか、又はハンドオーバ動作モードを追加する過程は、図５と図６でも行われうる。
【００９５】
その後、本実施形態の負荷均等手順を終了する。
【００９６】
実施形態として、図６及び図７の他に図５を応用してレンジングを要請する時、予め端末が複数の候補サブセルに対してスキャニング結果を基地局に通報する場合に、端末が報告したスキャニング値を利用してピンポン効果を起こさない程度のチャネル状態を有するサブセルに対して負荷確認を行うこともできる。
【００９７】
また、図２〜図７で、帯域基盤負荷確認結果を、ＳＬＰを介して伝達でき、サービングサブセルを含んで各サブセル別に表示できる。
【００９８】
広帯域通信システムにおいてハンドオーバ時に負荷均等を行う基地局の動作フローチャートは、図５〜図７でネットワーク再進入時に負荷均等を行う基地局の動作フローチャートと似ているため、図面なしでネットワーク再進入時とハンドオーバ時との差異点のみを詳説する。
【００９９】
ハンドオーバの場合に、ＨＯ−ＩＮＤの直前に該当端末を支援した以前のサービングサブセル（ｏｒｉｇｉｎａｌ  ｓｅｒｖｉｎｇ  ｓｕｂ−ｃｅｌｌ）がＭＳＨＯ−ＲＥＱに含まれたＢＳＩＤに対して既に無線状況及び負荷確認を行うことによって、ＲＮＧ−ＲＥＱを受信したターゲットサブセルがこの結果を活用することができる。例えば、第１にＲＮＧ−ＲＥＱを受信したサブセルが該当端末を支援できない場合に、以前のサービングサブセルに要請して獲得することができる。第２に、以前のサービングサブセルが該当端末を支援するのに必要な内容（ｃｏｎｔｅｘｔ）を現在のターゲットサブセルに伝達するとき、負荷確認結果を共に伝達することもできる。
【０１００】
レンジング要請を受信したサブセルが該当端末を支援できない場合に、初期接続が失敗してヌル（ｎｕｌｌ）状態であるから、基地局から通報されたＦＡ又はサブセルにＨＯ  ｃｏｄｅ  ｒａｎｇｉｎｇを試みるか、初期接続を試みるか、又はＮＢＲ−ＡＤＶにあるサブセルを任意に選択して、ＨＯ  ｃｏｄｅ  ｒａｎｇｉｎｇを試みるか、又は初期接続を試みる（ＢＳＨＯ−ＲＥＱが「ｍａｎｄａｔｏｒｙ」と設定された場合に、ＨＯ−ＩＮＤ手順なしでＨＯ  ｃｏｄｅ  ｒａｎｇｉｎｇ又は初期ネットワーク進入の遂行が可能）。システムと端末の動作の方案については、次のうちのいずれか一つで処理されるように提案する。
【０１０１】
ａ）ＲＮＧ−ＲＥＱを受信したターゲットサブセルは、ＨＯ−ＩＮＤの直前に該当端末を支援していた以前のサービングサブセルにこの事実を通報し、ＡＲＱリセットさせる。基地局が複数の許容可能なＢＳＩＤを知らせるように、「ｍａｎｄａｔｏｒｙ」ではない場合、端末は、ＨＯ−ＩＮＤを介してどんなサブセルにハンドオーバを行うかを基地局に知らせることができ、サービングサブセルが「ｍａｎｄａｔｏｒｙ  ＨＯ」を指示した場合に、ＨＯ−ＩＮＤに関わらず該当端末は、サービングサブセルが指示したＦＡ又はサブセルに移動する。該当端末を支援するのにｐｅｒ−ｆｌｏｗ  ｃｏｎｔｅｘｔ（ＱｏＳ  ｐｒｏｆｉｌｅ）及びトラフィックは、以前のサービングサブセルが直接新しいターゲットサブセルに伝達するか、又は現在のターゲットサブセルが以前のサービングサブセルからすべてを受けて、新しいターゲットサブセルに伝達する。
【０１０２】
ｂ）端末は、現在のターゲットサブセルが知らせたＦＡ又はサブセルＩＤを用いて初期ネットワーク進入から始める。現在のターゲットサブセルは、以前のサービングサブセルにこの事実を知らせて、すべての該当端末のＩＤ及び無線資源を解放する。
【０１０３】
ｃ）現在のターゲットサブセルは該当端末をアイドルモードにし、ａｎｃｈｏｒ  ＡＳＮ＿ＧＷ（ａｎｃｈｏｒ  Ａｃｃｅｓｓ  Ｓｅｒｖｉｃｅ  Ｎｅｔｗｏｒｋ  Ｇａｔｅｗａｙ）は、以前のサービングサブセルにある時の端末のｐｅｒ−ｆｌｏｗモード状態とＱｏＳパラメータセット情報を格納して管理する。
【０１０４】
図８は、本発明の一実施形態による広帯域通信システムにおいて、受付制御（Ａｄｍｉｓｓｉｏｎ  Ｃｏｎｔｒｏｌ）を利用した負荷均等（Ｌｏａｄ  Ｂａｌａｎｃｉｎｇ）のための基地局装置図を示している。
【０１０５】
図８に示すように、基地局は、ＯＦＤＭ受信部６００、制御部６０２、ＯＦＤＭ送信部６０４、インタフェース部６１２、加入者制限部６０６、呼受付制御部６０８、及び負荷均等制御部６１０を備えて構成される。
【０１０６】
ＯＦＤＭ受信部６００は、アンテナを介して受信されるＲＦ（Ｒａｄｉｏ  Ｆｒｅｑｕｅｎｃｙ）信号をベースバンドアナログ信号に変換する。そして、ＯＦＤＭ受信部６００は、アナログ信号をサンプルデータに変換して出力し、サンプルデータをＦＦＴ（Ｆａｓｔ  Ｆｏｕｒｉｅｒ  Ｔｒａｎｓｆｏｒｍ）して、周波数領域のデータに変換し、周波数領域のデータで実際受信しようとする副搬送波のデータを選択して出力する。そして、ＯＦＤＭ受信部６００は、データを予め決まった変調水準（ＭＣＳレベル）に応じて復調（ｄｅｍｏｄｕｌａｔｉｏｎ）及び復号（ｄｅｃｏｄｉｎｇ）して、制御部６０２に出力する。
【０１０７】
制御部６０２は、ＯＦＤＭ受信部６００から提供された情報に対する該当処理を行い、その結果をＯＦＤＭ送信部６０４に提供する。さらに、制御部６０２は、レンジング手順を制御し、スキャニングを介してチャネル状態を確認し、候補ＦＡ又はサブセルに対する負荷状態を確認する。例えば、制御部６０２は、端末にＮＢＲ−ＡＤＶ（Ｎｅｉｇｈｂｏｒ  Ａｄｖｅｒｔｉｓｅｍｅｎｔ）にある候補サブセルに対してスキャニングを要求するスキャニング応答メッセージを送信し、スキャニング要求に対してスキャニング報告メッセージを受信し、スキャニング報告結果を利用して所定の臨界値を満たす候補ＦＡ又は候補サブセルに対して負荷を確認する。実施形態として、制御部６０２は、ＮＢＲ−ＡＤＶ（Ｎｅｉｇｈｂｏｒ  Ａｄｖｅｒｔｉｓｅｍｅｎｔ）にある候補ＦＡ又はサブセルに対して負荷を確認し、負荷臨界値を満たす許容可能な候補ＦＡ又はサブセルに対する情報を、レンジング応答メッセージを介して通報し、負荷臨界値を満たす許容可能な候補ＦＡ又はサブセルに対してスキャニングを行う。
【０１０８】
制御部６０２は、許容可能な候補ＦＡとサブセルの選定時に無線チャネル状態と負荷状態とを考慮して、同じセクター内にあるＦＡを選定し、同じセクター内にＦＡが許容されない場合に、他のセクター又は隣接セルのＦＡを選定する。
【０１０９】
ＯＦＭＤ送信部６０４は、制御部６０２からのデータを所定の変調水準（ＭＣＳレベル）に応じて符号化及び変調する。そして、変調されたデータをＩＦＦＴ（Ｉｎｖｅｒｓｅ  Ｆａｓｔ  Ｆｏｕｒｉｅｒ  Ｔｒａｎｓｆｏｒｍ）して、サンプルデータ（ＯＦＤＭシンボル）を出力する。そして、サンプルデータをアナログ信号に変換して、アナログ信号をＲＦ（Ｒａｄｉｏ  Ｆｒｅｑｕｅｎｃｙ）信号に変換した後、アンテナを介して送信する。
【０１１０】
加入者制限部６０６は、サービングＦＡ（Ｆｒｅｑｕｅｎｃｙ  Ａｓｓｉｇｎｍｅｎｔ）に対するレンジング要請メッセージの受信時に、加入者数の制限のためにユーザ受付制御（Ｕｓｅｒ  Ａｄｍｉｓｓｉｏｎ  Ｃｏｎｔｒｏｌ）を行う。例えば、加入者制限部は、サービングＦＡのためのＣＰＵ負荷をチェックし、ＣＰＵ負荷チェック後に、ユーザタイプ別に異なって設定されたユーザ許容臨界値と比較してユーザ受付の如何を決定する。
【０１１１】
呼受付制御部６０８は、加入者数の制限を越えない場合に、ｐｅｒ−ｆｌｏｗ  ＱｏＳのための呼受付制御（Ｃａｌｌ  Ａｄｍｉｓｓｉｏｎ  Ｃｏｎｔｒｏｌ：ＣＡＣ）を行う。即ち、呼受付制御部６０８は、ネットワーク再進入時又はハンドオーバ時に既設定されたフロー別に呼受付の如何を決定する。
【０１１２】
負荷均等制御部６１０は、ユーザ受付制御結果に応じて、許容可能な候補ＦＡとサブセルＩＤを選定してレンジング応答メッセージに含めて送信する。ここで、受付制御（Ａｄｍｉｓｓｉｏｎ  Ｃｏｎｔｒｏｌ：ＡＣ）を行う候補ＦＡの選定は、次の順序によって決める。同じセクター内にあるＦＡを選定し、同じセクター内で許容されない場合に、他のセクターやＮＢＲ−ＡＤＶに含まれた隣接セルのＦＡ又はサブセルのＦＡを選定する。そして、ＲＮＧ−ＲＳＰに「ａｂｏｒｔ」を設定し、他の許容可能なＦＡを知らせる場合に、ＲＮＧ−ＲＥＱを受信したサブセルのみならず、他の許容可能なＦＡに対してもＳＬＰ値を記述することができ、同じセクターの有無も共に通報する。現在の規格でＲＮＧ−ＲＳＰのＴＬＶ（Ｔｙｐｅ／Ｌｅｎｇｔｈ／Ｖａｌｕｅ）構造は、一つのＦＡのみを許容されうるようになっているが、本発明では、サブセルＩＤ（ＢＳＩＤ）も含むことができるように提案する。ＲＮＧ−ＲＥＱには、端末が判断して無線チャネル環境が良い複数のサブセルＩＤ（ＢＳＩＤ）が含まれうるので、基地局がＦＡを選定する際に、負荷均等を行うのに反映できる。
【０１１３】
負荷均等制御部６１０は、ｐｅｒ−ｆｌｏｗ  ＱｏＳのための接続受付制御後に、初期サービスフロー（ＩＳＦ）を含んだ許容されるＳＦのみにＴＣＩＤ（Ｔｒａｆｆｉｃ  Ｃａｔｅｇｏｒｉｅｓ  ＩＤ）を割り当てて活性化し、許容されないＳＦは、すべてＣＩＤ更新を行わないことによって解除させるか、又は許容されないＳＦのうち、固定ＱｏＳと設定されたＳＦは、別途のＤＳＣ（Ｄｙｎａｍｉｃ  Ｓｅｒｖｉｃｅ  Ｃｈａｎｇｅ）手順なしでシステムと端末の両方で格納管理し、動的ＱｏＳと設定されたＳＦは、別途のＤＳＤ手順なしでＣＩＤ更新許容が可能であると記述（ＳＬＰ＝１）する。実施形態として、ｐｅｒ−ｆｌｏｗ  ＱｏＳのための接続受付制御後に、すべてのＳＦ（Ｓｅｒｖｉｃｅ  Ｆｌｏｗ）に対してＴＣＩＤ（Ｔｒａｆｆｉｃ  Ｃａｔｅｇｏｒｉｅｓ  ＩＤ）を割り当てた後、ＢＳ＿ｉｎｉｔ  ＤＲＥＧ（（Ｄｅ／Ｒｅ−ｒｅｇｉｓｔｅｒ）を送信して、端末をアイドルモードにするか、又はＮＢＲ−ＡＤＶにあるすべてのＢＳＩＤを候補として選定して、基地局ハンドオーバ要請ＢＳＨＯ−ＲＥＱを行う。
【０１１４】
図９は、本発明の他の実施形態による広帯域通信システムにおいて初期ネットワーク進入時にチャネル状態情報なしで負荷均等を行う基地局の動作フローチャートを示している。
【０１１５】
図９に示すように、先ず、基地局は、ステップＳ７００で、ハンドオーバフラグ（ＢＳ＿ｉｎｉｔ  ＨＯ  ｆｌａｇ）の値を決定し、次いで、ステップＳ７０１で、初期ネットワーク進入時に、端末からレンジング要請メッセージを受信する。次いで、ステップＳ７０２で、ハンドオーバフラグ（ＢＳ＿ｉｎｉｔ  ＨＯ  ｆｌａｇ）が設定されていない場合、運用手順はステップＳ７０３に進む。
【０１１６】
次いで、基地局は、ステップＳ７０３で、レンジング要請に対してユーザ受付制御を行う。このとき、ユーザ受付制御は、過負荷（ＣＰＵ又はメモリ）及び加入者数の制限を考慮して行う。ここで、制御局当たり、基地局当たり、サブセル当たり、加入者当たり、加入者等級別最大許容可能なダウンリンク／アップリンクＳＦ数の超過の有無も、加入者数の制限チェック項目になりうる。ＣＰＵ負荷に応じる加入者数の制限の場合に、ＣＰＵ負荷を「ｏｖｅｒ  ｌｏａｄ」、「ｈｅａｖｙ  ｌｏａｄ」、「ｎｏｒｍａｌ」、「ｌｉｇｈｔ  ｌｏａｄ」、「ｎｏ  ｌｏａｄ」の５つのステップに分け、それぞれのステップに対して許容できる追加加入者数をそれぞれ最大許容値の０％、１０％、５０％、７０％、１００％に設定できる。
【０１１７】
ここで、ステップＳ７０３で、レンジング手順に対するＣＰＵ負荷及び許容加入者数に制限がない場合、基地局は、ステップＳ７１２に進んでレンジング状態を「ｓｕｃｃｅｓｓ」と設定する。
【０１１８】
仮に、ステップＳ７０３で、過負荷（ＣＰＵ又はメモリ）及び許容加入者数に制限がある場合、基地局は、ステップＳ７０４に進んで候補ＦＡ及びサブセルを選択する。ここで、候補ＦＡ（又はサブセル）を選定する際に、先ず同じセクター内にあるＦＡ（又はサブセル）を選定し、同じセクター内で許容されない場合に、他のセクターやＮＢＲ−ＡＤＶ（Ｎｅｉｇｈｂｏｒ  Ａｄｖｅｒｔｉｓｅｍｅｎｔ）メッセージに含まれた隣接セルのＦＡ又はサブセルを選定する。
【０１１９】
端末がハンドオーバを行う環境であれば、同じセクターにあるＦＡ（又はサブセル）を選定し、同じセクター内でＦＡ（又はサブセル）が許容されない場合に、他のセクターのＦＡ（又はサブセル）を選定して負荷均等を行うことが良い。しかし、端末がハンドオーバを行わない環境（即ち、端末の移動性が少ない場合）であれば、同じセクター内でＦＡ（又はサブセル）が許容されない場合に他のセクターのＦＡ（又はサブセル）を選定して負荷均等を行うことは、むしろ性能を落としうる。即ち、他のセクターのＦＡ（又はサブセル）が許容可能であっても、ハンドオーバの遂行が要らない環境で、他のセクターのＦＡ（又はサブセル）が無線チャネルにおいて同じセクターのＦＡ（又はサブセル）より悪いことがありうるためである。従って、この場合には、同じセクター内にＦＡ（又はサブセル）がすべて許容されなくても、同じセクター内で部分的に負荷均等を行うこともできる。
【０１２０】
次いで、基地局は、ステップＳ７０６で、選択した候補ＦＡ（又はサブセル）に対して負荷状態を確認する。ここで、候補ＦＡ（又はサブセル）に対する負荷状態を確認するために、隣接基地局から候補ＦＡ（又はサブセル）に対する負荷状態が周期的に報告されることで確認（プル方式）するか、又は候補ＦＡ（又はサブセル）に対する負荷状態の確認が必要な場合に要請して確認する（プッシュ方式）ことができる。
【０１２１】
次いで、基地局は、ステップＳ７０８で、負荷状態を考慮して利用可能な候補ＦＡ及びサブセルが存在するか否かを確認し、ステップ７０８で、利用可能な候補ＦＡ及びサブセルがある場合、基地局は、ステップＳ７１０でレンジング状態を「ａｂｏｒｔ」と設定し、利用可能なＦＡを使用するように既存のＦＡをオーバーライディングしてプリアンブルインデックス（ｐｒｅａｍｂｌｅ  ｉｎｄｅｘ）を追加する。プリアンブルインデックスを追加する理由は、オーバーライディングされた候補ＦＡは、複数のサブセルを含んでいることから、特定候補サブセルを指定するためである。
【０１２２】
次いで、基地局は、ステップＳ７１４で、設定されたレンジング状態及び許容可能なＦＡ及びプリアンブルインデックスをレンジング応答メッセージに含めて送信する。ここで、レンジング応答メッセージに「ａｂｏｒｔ」を設定し、他の許容可能なＦＡを知らせる場合に、レンジングメッセージを受信したサブセルのみならず、他の許容可能なＦＡ（又はサブセル）に対してもＳＬＰ値を記述することができ、同じセクターの有無も共に通報する。現在の規格でレンジングメッセージのＴＬＶ（Ｔｙｐｅ／Ｌｅｎｇｔｈ／Ｖａｌｕｅ）構造は、一つのＦＡのみが許容されるようになっているが、本発明では、複数のＦＡ又は一つ又は多数のサブセルＩＤ（ＢＳＩＤ）も含むことができるように提案する。ハンドオーバ動作モードである場合に、ターゲットサブセルやＦＡが同じセクターにあるか、又は無線状況が似ている場合に有用である。
【０１２３】
更に他の場合に、レンジング状態が「ａｂｏｒｔ」で、利用可能なＦＡ及びサブセルがない場合に、部分的に許容することができる。そして、レンジング状態が「ｓｕｃｃｅｓｓ」である場合に、基地局及び端末は、現在のサービングＦＡ又はサービングサブセルＩＤを維持して使用する。
【０１２４】
上述したように、ＣＰＵ負荷及び加入者数の制限により、使用可能なＦＡがない場合（即ち、現在使用されているＦＡを利用しなければならない場合）に、レンジング状態を「ａｂｏｒｔ」と設定した後、即ち現在のＦＡをそのまま使用し、かつ使用可能なサブセルのプリアンブルインデックスを追加して、負荷均等手順を行うことができる。他の実施形態として、ＣＰＵ負荷及び加入者数の制限により、使用可能なＦＡがなく（即ち、現在使用されているＦＡを利用しなければならない場合）、許容可能なサブセルは存在する場合に、ＢＳ＿ｉｎｉｔ＿ＨＯ（基地局でハンドオーバ要請）機能を利用して負荷均等を行うことができる。
【０１２５】
即ち、ステップＳ７０８で、利用可能な候補ＦＡがない場合、基地局は、ステップＳ７０９に進んで、該当するモードを遂行する。
【０１２６】
一方、ステップＳ７０２で、ハンドオーバフラグ（ＢＳ＿ｉｎｉｔ  ＨＯ  ｆｌａｇ）が設定されている場合、基地局は、ステップＳ７１６に進んでレンジング応答メッセージを「ｓｕｃｃｅｓｓ」と設定する。
【０１２７】
次いで、ステップＳ７１８で、ＮＢＲ＿ＡＤＶ（ＮｅｉｇｈＢｏＲ  ＡＤＶｅｒｔｉｓｅｍｅｎｔ）メッセージ送信時刻Ｔ１と臨界値Ｔ２とを比較し、ＮＢＲ＿ＡＤＶメッセージ送信時刻Ｔ１が臨界値Ｔ２より大きいと、ステップＳ７２０に進んでｐｒｉｍａｒｙ  ＮＢＲ＿ＡＤＶメッセージを直ちに送信する。仮に、ステップＳ７１８で、ＮＢＲ＿ＡＤＶメッセージ送信時刻Ｔ１が臨界値Ｔ２より小さいと、ステップＳ７２２に進んでＮＢＲ＿ＡＤＶメッセージをＮＢＲ＿ＡＤＶ送信時刻まで待ってから送信する。
【０１２８】
次いで、基地局は、ステップＳ７２４で、受信したＮＢＲ＿ＡＤＶメッセージを利用して、ＢＳ＿ｉｎｉｔ＿ＨＯを行う。
【０１２９】
ＢＳ＿ｉｎｉｔ  ＨＯメッセージにあるサブセルＩＤのみでは、端末がどこに移動するかが分からないから、サブセルＩＤ及びプリアンブルインデックスを含むＮＢＲ＿ＡＤＶメッセージを先ず受信した後、ＢＳ＿ｉｎｉｔ  ＨＯを行う。ＢＳ＿ｉｎｉｔ  ＨＯがＮＢＲ＿ＡＤＶメッセージ送信時刻より先に起きる場合を防止するために、ＢＳ＿ｉｎｉｔ  ＨＯ時刻で、一時的なｐｒｉｍａｒｙ  ＮＢＲ＿ＡＤＶメッセージを該当サブセルが放送することによって問題を解決できるが、特定端末のためにｐｒｉｍａｒｙ  ＮＢＲ＿ＡＤＶを放送することは、別途の無線資源を割り当てなければならない。Ｐｒｉｍａｒｙ  ＮＢＲ＿ＡＤＶを放送せずに解決できる方案は、ＢＳ＿ｉｎｉｔ  ＨＯをＮＢＲ＿ＡＤＶ後に送信することであるが、ＮＢＲ＿ＡＤＶが通常２秒〜５秒間隔で送信されるので、ＢＳ＿ｉｎｉｔ  ＨＯ手順が遅延されて、全体的な性能劣化が発生する。
【０１３０】
このために、端末が新しいサブセルに移動してオーバーロードされている場合、ＮＢＲ＿ＡＤＶメッセージの送信時刻−現在時刻＞臨界値（例：５００ｍｓ）以上である場合には、Ｐｒｉｍａｒｙ  ＮＢＲ＿ＡＤＶを直ちに送信し、ＢＳ＿ｉｎｉｔ  ＨＯを行うようにする。ＮＢＲ＿ＡＤＶメッセージの送信時刻−現在時刻＞臨界値（例：５００ｍｓ）以下である場合には、Ｐｒｉｍａｒｙ  ＮＢＲ＿ＡＤＶを送信せずに、ＮＢＲ＿ＡＤＶメッセージを送信時刻まで待ってからＮＢＲ＿ＡＤＶ送信直後にＢＳ＿ｉｎｉｔ  ＨＯを行うようにする。
【０１３１】
その後、本実施形態の負荷均等手順を終了する。
【０１３２】
上述したように、レンジング応答メッセージを介してＦＡ情報のみを知らせることができるが、更に他の実施形態として、他の許容可能なＦＡを送信する場合に、プリアンブル（ｐｒｅａｍｂｌｅ  ｉｎｄｅｘ）も共に送信して、端末がどんなサブセルに該当しているかを容易に探索できるようにする。また、同じセクターにある候補ＦＡに対しては、スキャニングを省略することが基本であり、他のセクターにあっても、追加的なスキャニングなしで他の許容可能なＦＡを（プリアンブルインデックス同伴）送信するか、又はサブセルを送信し、端末が許容可能なサブセルのうちの何れか一つを選択して、負荷均等制御を行うことができる。しかし、予めスキャニングを行う場合に、ＮＢＲ−ＡＤＶメッセージの隣接基地局の目録にあるすべてのサブセルではなく、最も適切な少数の候補ＦＡ又は候補サブセルのみをレンジング応答メッセージに送信できるため、レンジング応答メッセージの大きさを減らして無線資源の浪費を減らすことができる。
【０１３３】
更に他の実施形態として、ネットワーク初期進入時に負荷均等を行うための方法として、ＦＡオーバーライディング機能（レンジング応答メッセージを介してＦＡをオーバーライディングする機能）と共に、ＢＳ＿ｉｎｉｔ  ＨＯ機能（基地局でハンドオーバを要請する機能）が活性化された場合に、次の通りに動作する。ステップＳ７０２でユーザ受付制御を行う過程において、ＣＰＵ負荷及び加入者数の制限時に、直ちにステップＳ７１６に進んで、ＢＳ＿ｉｎｉｔ  ＨＯ機能を行って、負荷均等手順を行うこともできる。このとき、許容可能な候補サブセルを送信し、かつＨＯ  ｏｐｅｒａｔｉｏｎ  ｍｏｄｅは、「ｍａｎｄａｔｏｒｙ」と指定する。
【０１３４】
図１０は、本発明の他の実施形態による広帯域通信システムにおいて、ネットワーク再進入又はハンドオーバ時にチャネル状態情報なしで負荷均等を行う基地局の動作フローチャートを示している。
【０１３５】
図１０に示すように、先ず、基地局は、ステップＳ８００で、ハンドオーバフラグ（ＢＳ＿ｉｎｉｔ  ＨＯ  ｆｌａｇ）の値を決定し、次いで、ステップＳ８０１で、ネットワーク再進入又はハンドオーバ時に端末からレンジング要請メッセージを受信する。次いで、ステップＳ８０２で、ハンドオーバフラグ（ＢＳ＿ｉｎｉｔ  ＨＯ  ｆｌａｇ）が設定されていない場合、運用手順はステップＳ８０３に進む。
【０１３６】
次いで、基地局は、ステップＳ８０３において、図９で説明したユーザ受付制御を行って、レンジング要請に対してＣＰＵ負荷及び加入者数の制限を確認する。
【０１３７】
仮に、ステップＳ８０３で、レンジング手順に対する加入者数の制限を超えない場合に、基地局は、ステップＳ８０４に進んでｐｅｒ−ｆｌｏｗ  ＱｏＳのための接続受付制御（Ｃｏｎｎｅｃｔｉｏｎ  Ａｄｍｉｓｓｉｏｎ  Ｃｏｎｔｒｏｌ：ＣＡＣ）を行う。次いで、基地局は、ステップＳ８０６でＱｏＳ  ＳＦをすべて許容しているか否かを判断して、ＱｏＳ  ＳＦをすべて許容する場合、ステップＳ８１０に進んでレンジング状態を「ｓｕｃｃｅｓｓ」と設定する。
【０１３８】
仮に、ステップＳ８０３で、レンジング手順に対する加入者数の制限を超える場合、或いは、ステップＳ８０６でＱｏＳ  ＳＦをすべて許容しない場合、基地局は、ステップＳ８０８に進んで、該当するモードを遂行する。
【０１３９】
一方、ステップＳ８０２で、ハンドオーバフラグ（ＢＳ＿ｉｎｉｔ＿ＨＯ  ｆｌａｇ）が設定されている場合、運用手順は、ステップＳ８１６に進む。
【０１４０】
ステップＳ８１６で、基地局は、レンジング状態を「ｓｕｃｃｅｓｓ」と設定し、ＮＢＲ＿ＡＤＶ（ＮｅｉｇｈＢｏＲ  ＡＤＶｅｒｔｉｓｅｍｅｎｔ）メッセージ送信時刻Ｔ１と臨界値Ｔ２とを比較して、ＮＢＲ＿ＡＤＶメッセージ送信時刻Ｔ１が臨界値Ｔ２より大きいと、ステップＳ８１８に進んでｐｒｉｍａｒｙ  ＮＢＲ＿ＡＤＶメッセージを直ちに送信する。仮に、ステップＳ８１６で、ＮＢＲ＿ＡＤＶメッセージ送信時刻Ｔ１が臨界値Ｔ２より小さいと、ステップ８２２に進んでＮＢＲ＿ＡＤＶメッセージ送信時刻であるか否かを確認し、送信時刻になると、ステップ８２４に進んでＮＢＲ＿ＡＤＶメッセージを送信する。
【０１４１】
次いで、基地局は、ステップＳ８２０でＢＳ＿ｉｎｉｔ＿ＨＯを行う。
【０１４２】
ＢＳ＿ｉｎｉｔ  ＨＯメッセージにあるサブセルＩＤのみでは、端末がどこに移動するかが分からないから、サブセルＩＤ及びプリアンブルインデックスを含むＮＢＲ＿ＡＤＶメッセージを先ず受信した後、ＢＳ＿ｉｎｉｔ  ＨＯを行う。
【０１４３】
その後、本実施形態の負荷均等手順を終了する。
【０１４４】
図１１は、本発明の他の実施形態による広帯域通信システムにおいて、ネットワーク再進入又はハンドオーバ時にチャネル状態情報なしで負荷均等を行う基地局の動作フローチャートを示している。
【０１４５】
図１１に示すように、先ず、基地局は、ステップＳ９００で、ネットワーク再進入又はハンドオーバ時に端末からレンジング要請メッセージを受信する。
【０１４６】
次いで、基地局は、ステップＳ９０２において、図９で説明したユーザ受付制御を行って、レンジング要請に対してＣＰＵ負荷及び加入者数の制限を確認する。
【０１４７】
仮に、ステップＳ９０２で、レンジング手順に対する加入者数の制限を超えない場合に、基地局は、ステップＳ９０４に進んでｐｅｒ−ｆｌｏｗ  ＱｏＳのための接続受付制御（ＣＡＣ）を行う。次いで、基地局は、ステップＳ９０６でＱｏＳ  ＳＦをすべて許容しているか否かを判断して、ＱｏＳ  ＳＦをすべて許容する場合、ステップＳ９０８に進んでレンジング状態を「ｓｕｃｃｅｓｓ」と設定し、ステップＳ９１０に進んでレンジング応答メッセージを送信する。
【０１４８】
仮に、ステップＳ９０２で、レンジング手順に対するＣＰＵ及び加入者数を制限する場合、又はステップＳ９０６でＱｏＳ  ＳＦをすべて許容しない場合、基地局は、ステップＳ９１２に進んで、候補ＦＡ（又はサブセル）を選択する。ここで、候補ＦＡ（又はサブセル）の選定の際に、先ず同じセクター内にあるＦＡを選定し、同じセクター内で許容されない場合に、他のセクターやＮＢＲ−ＡＤＶ（Ｎｅｉｇｈｂｏｒ  Ａｄｖｅｒｔｉｓｅｍｅｎｔ）メッセージに含まれた隣接セルのＦＡ又はサブセルを選定する。
【０１４９】
端末がハンドオーバを行う環境であれば、同じセクターにあるＦＡ（又はサブセル）を選定し、同じセクター内にＦＡ（又はサブセル）が許容されない場合には、他のセクターのＦＡ（又はサブセル）を選定して負荷均等を行うことが良い。しかし、端末がハンドオーバを行わない環境（即ち、端末の移動性が少ない場合）であれば、同じセクター内にＦＡ（又はサブセル）が許容されない場合には、他のセクターのＦＡ（又はサブセル）を選定して負荷均等を行うことは、むしろ性能を落としうる。即ち、他のセクターのＦＡ（又はサブセル）が許容可能であっても、ハンドオーバの遂行が要らない環境で他のセクターのＦＡ（又はサブセル）が無線チャネルにおいて同じセクターのＦＡ（又はサブセル）より悪いことがありうるためである。従って、この場合には、同じセクター内にＦＡ（又はサブセル）がすべて許容されなくても、同じセクター内で部分的に負荷均等を行うこともできる。
【０１５０】
次いで、基地局は、ステップＳ９１４で、候補ＦＡ（又はサブセル）に対して負荷状態を確認する。ここで、候補ＦＡ（又はサブセル）に対する負荷状態を確認するために、候補ＦＡ（又はサブセル）に対する負荷状態が周期的に報告されることで確認（プル方式）するか、又は候補ＦＡ（又はサブセル）に対する負荷状態の確認が必要なときに要請して確認する（プッシュ方式）ことができる。
【０１５１】
次いで、基地局は、ステップＳ９１６で、負荷状態を考慮して利用可能な候補ＦＡ（又はサブセル）が存在するか否かを確認する。利用可能な候補ＦＡ（又はサブセル）が存在する場合に、ステップＳ９２０に進んでレンジング応答メッセージを「ａｂｏｒｔ」と設定した後、該当ＦＡをオーバーライディングし、プリアンブルインデックスを追加する。そして、ステップＳ９１０に進んでレンジング応答メッセージを送信する。
【０１５２】
仮に、ステップＳ９１６で負荷状態を考慮して、利用可能な候補ＦＡ（又はサブセル）が存在しない場合、ステップＳ９１８で、サービングサブセルの帯域幅に基づいて、ＱｏＳ  ＳＦが一部のみを許容するか否かを確認し、ＱｏＳ  ＳＦが一部のみ許容しない場合に、ステップＳ９２２に進んでレンジングメッセージを「ａｂｏｒｔ」と処理し、ステップ９１０でレンジング応答メッセージを送信する。
【０１５３】
仮に、ＱｏＳ  ＳＦが一部のみを許容する場合に、ステップＳ９２４に進んで、レンジング状態を「ｓｕｃｃｅｓｓ」と設定し、許容されるＳＦの接続識別子（Ｃｏｎｎｅｃｔｉｏｎ  ＩＤ：ＣＩＤ）のみを更新する。許容されなくても、固定（Ｓｔａｔｉｃ）又はセミ−ダイナミック（Ｓｅｍｉ−ｄｙｎａｍｉｃ）ＱｏＳセットアップにより生成されたＳＦは、別途のＤＳＣ（Ｄｙｎａｍｉｃ  Ｓｅｒｖｉｃｅ  Ｃｈａｎｇｅ）手順なしに自動的に格納（ｐｒｏｖｉｓｉｏｎｅｄ）管理するか、又はＣＩＤを割り当てない。動的ＱｏＳと設定されたＳＦは、別途のＤＳＤ（Ｄｙｎａｍｉｃ  Ｓｅｒｖｉｃｅ  Ｄｅｌｅｔｉｏｎ）手順なしにシステムと端末の両方で解放する。
【０１５４】
その後、本実施形態の負荷均等手順を終了する。
【０１５５】
図１２及び図１３は、本発明の他の実施形態による広帯域通信システムにおいてネットワーク再進入又はハンドオーバ時にチャネル状態情報なしで負荷均等を行う基地局の動作フローチャートを示している。
【０１５６】
図１２及び図１３に示すように、ステップＳ１０００〜ステップＳ１０２２は、図１１の負荷均等手順と同様なので、その詳細な説明は省略する。
【０１５７】
即ち、サービングサブセルが初期ＳＦを含んだ一部ＳＦのみを許容する場合に、図９は、レンジング応答を「ｓｕｃｃｅｓｓ」と設定し、許容されるＳＦのみをＣＩＤ更新する。許容されなくても、固定又はセミ−ダイナミックＱｏＳセットアップにより生成されたＳＦは、格納（ｐｒｏｖｉｓｉｏｎｅｄ）管理するか、又はＣＩＤを割り当てないことにより削除する。
【０１５８】
図１２及び図１３では、ステップＳ１０１８で、サービングサブセルが初期ＳＦを含んだ一部ＳＦのみを許容する場合に、ステップＳ１０２４に進んで、基地局でハンドオーバを要請できるように、ＢＳ＿ｉｎｉｔ＿ＨＯ  ｆｌａｇを設定する。
【０１５９】
次いで、レンジングメッセージを「ｓｕｃｅｓｓ」と設定した後、ステップＳ１０１０に進んでレンジング応答メッセージを送信する。
【０１６０】
次いで、基地局において、ステップＳ１０２８で、ＢＳ＿ｉｎｉｔ＿ＨＯ  ｆｌａｇが設定されているか否かを確認して、ＢＳ＿ｉｎｉｔ＿ＨＯ  ｆｌａｇが設定されない場合、負荷均等手順を終了する。
【０１６１】
これに対し、ＢＳ＿ｉｎｉｔ＿ＨＯ  ｆｌａｇが設定されている場合、ステップＳ１０３０で、すべてのサービスフローに対してＣＩＤを割り当て、ステップＳ１０３２で、ＮＢＲ＿ＡＤＶメッセージ送信時刻Ｔ１と臨界値Ｔ２とを比較し、ＮＢＲ＿ＡＤＶメッセージ送信時刻Ｔ１が臨界値Ｔ２より大きいと、ステップＳ１０３４に進んでｐｒｉｍａｒｙ  ＮＢＲ＿ＡＤＶメッセージを直ちに送信する。仮に、ＮＢＲ＿ＡＤＶメッセージ送信時刻Ｔ１が臨界値Ｔ２より小さいと、ステップＳ１０４０でＮＢＲ＿ＡＤＶメッセージ送信時刻であるか否かを確認し、ステップＳ１０４２に進んでＮＢＲ＿ＡＤＶメッセージを送信する。
【０１６２】
次いで、基地局は、ステップＳ１０３６で受信したＮＢＲ＿ＡＤＶメッセージを利用して、ＢＳ＿ｉｎｉｔ＿ＨＯを行う。
【０１６３】
ＢＳ＿ｉｎｉｔ  ＨＯメッセージにあるサブセルＩＤのみでは、端末がどこに移動するかが分からないから、サブセルＩＤ及びプリアンブルインデックスを含むＮＢＲ＿ＡＤＶメッセージを先ず受信した後、ＢＳ＿ｉｎｉｔ  ＨＯを行う。
【０１６４】
その後、本実施形態の負荷均等手順を終了する。
【０１６５】
上述したように、本発明は、広帯域通信システムにおいて１つ以上のサブセル（１ＦＡ／１ｓｅｃｔｏｒ）が管理される場合、負荷均等手法によって複数のユーザ端末に無線資源を分配するための計画を提供しており、これによって、無線インタフェースの利用の最大化を可能にしている。
また、他の実施形態として、基地局がＭＳＨＯ−ＲＳＰ、ＢＳＨＯ−ＲＥＱメッセージを送信する際に、大きな負荷をかけずに許容可能なＢＳＩＤのみを送ることもできる。
【０１６６】
以上、図面を参照しながら本発明を実施するための最良の形態について説明したが、本発明は、上述の実施形態に限られるものではなく、本発明の技術的範囲から逸脱しない範囲内で多様に変更実施することが可能である。
【符号の説明】
【０１６７】
６００    ＯＦＤＭ受信部
６０２    制御部
６０４    ＯＦＤＭ送信部
６０６    加入者制限部
６０８    呼受付制御部
６１０    負荷均等制御部
６１２    インタフェース部
【図１】
0005391463.tif 000002
【図２】
0005391463.tif 000003
【図３】
0005391463.tif 000004
【図４】
0005391463.tif 000005
【図５】
0005391463.tif 000006
【図６】
0005391463.tif 000007
【図７】
0005391463.tif 000008
【図８】
0005391463.tif 000009
【図９】
0005391463.tif 000010
【図１０】
0005391463.tif 000011
【図１１】
0005391463.tif 000012
【図１２】
0005391463.tif 000013
【図１３】
0005391463.tif 000014